(57)【要約】【課題】画面を備えた表示装置本体の画面周辺の背景輝度および表示装置のユーザ周辺の背景輝度、または画面周辺の色温度およびユーザ周辺の色温度を検知し、この検知結果を利用して、画面の明るさを適切に調整することができる表示装置を提供する。【課題を解決するための手段】画面を備えた本体と、本体をコントロールするためのリモコンとからなる表示装置であって、リモコンは、リモコン周辺の背景輝度であるリモコン背景輝度を取得するためのリモコン背景輝度取得部を有し、本体は、画面周辺の背景輝度である画面背景輝度を取得するための画面背景輝度取得部と、取得した画面背景輝度と、取得したリモコン背景輝度とを利用して画面の輝度を調整するための画面輝度調整部とを有する表示装置を提供する。また、処理すべき値である輝度に代えて色温度とした表示装置を提供する。【選択図】図１
2011109188.tif 000002
【特許請求の範囲】
【請求項１】
画面を備えた本体と、本体をコントロールするためのリモコンと、からなる表示装置であって、
リモコンは、
リモコン周辺の背景輝度であるリモコン背景輝度を取得するためのリモコン背景輝度取得部を有し、
本体は、
画面周辺の背景輝度である画面背景輝度を取得するための画面背景輝度取得部と、
取得した画面背景輝度と、取得したリモコン背景輝度とを利用して画面の輝度を調整するための画面輝度調整部と、
を有する表示装置。
【請求項２】
画面輝度調整部は、
画面背景輝度と、リモコン背景輝度と、これらの組み合わせに応じて画面の輝度を調整するための調整値と、を対応付けるルールを保持するルール保持手段を有し、
このルールは、以下のように前記調整を行うように定められている請求項１に記載の表示装置。
画面背景輝度とリモコン背景輝度の組み合わせ傾向：画面輝度の調整値の傾向
高高：  平均より高レベル
低低：  平均より低レベル
高低：  平均よりやや低レベル
低高：  平均よりやや高レベル
【請求項３】
請求項１又は２に記載の表示装置であって、
処理すべき値である輝度に代えて色温度とした表示装置。
【発明の詳細な説明】
【技術分野】
【０００１】
本件発明は、表示装置に関し、特に、画面周辺の背景輝度およびリモコン周辺の背景輝度、または画面周辺の色温度およびリモコン周辺の色温度を利用して画面の明るさを調整するための手段を有する表示装置に関する。
【背景技術】
【０００２】
テレビジョンを視聴する際には、部屋の明るさに応じた適切な画面の明るさで視聴することが望ましい。明るい部屋では画面を明るくした方が画面がきれいに見え、暗い部屋では画面を暗くした方が画面がきれいにみえる。しかし、暗い部屋で明るい画面を見ると、暗い部分が明るくなることによりコントラスト比が低下して画質が悪くなってしまう。また、明るすぎる画面を長時間見続けると、目が疲れたり、近視や乱視の原因になったりすることがある。さらに甚だしい場合には、アニメーションの画面から発せられる強い光の点滅に目がくらんで子供が失神するという事象もあったところである。逆に、明るい部屋で暗い画面を見ると、明るい部分が暗くなることにより、やはりコントラスト比が低下して画質が悪くなってしまう。
【０００３】
これを避けるために、従来から、背景輝度（発光体周辺の明るさを輝度に換算したもの）に基づいてテレビジョンの画面の明るさを調整する方法が用いられてきた。具体的には、画面を備えたテレビジョン本体にその周辺の背景輝度を検知するためのセンサを設け、検知された背景輝度に応じてテレビジョンの画面の明るさを自動調整するようにしていた。例えば、特許文献１には、テレビジョン受像機の周囲の明るさを検出する明るさ検出手段と、入力された映像信号の輝度レベルを検出する輝度検出手段を有し、これら検出手段によりそれぞれ得られた映像信号の輝度レベル及び周囲の明るさレベルに基づいて、最適なコントラスト補正値を算出し、算出されたコントラスト補正値に基づいて映像信号処理回路を制御するように構成されたテレビジョン受像機が開示されている（特許文献１参照）。
【０００４】
一般に、識別できる最小輝度対比（Ｃ）は、視対象の輝度（Ｌｏ）、背景輝度（Ｌｂ）を用いた以下の（数１）で表わす式により求めることができる。
【０００５】
（数１）
Ｃ＝（Ｌｂ−Ｌｏ）／Ｌｂ
【０００６】
テレビジョンの例に即せば、視対象の輝度（Ｌｏ）は、テレビジョンの画面の輝度であり、背景輝度（Ｌｂ）は、テレビジョンの画面の輝度に影響を与える周辺の輝度である。この背景輝度は、視聴者の目が順応していると考えられる輝度であり、視聴者の視聴環境などによって影響を受けるものである。この式からわかるように、識別できる最小輝度対比（Ｃ）を一定に保つためには、背景輝度（Ｌｂ）が高い方向に変化したときは視対象の輝度（Ｌｏ）を上げ、背景輝度（Ｌｂ）が低い方向に変化したときは視対象の輝度（Ｌｏ）を下げればよい。従来の方法では、背景輝度としてテレビジョン本体周辺の背景輝度だけを検知していた。そして、テレビジョン本体周辺の背景輝度が変化しても視聴者が識別できる画面の輝度レベルを変化させないために（換言すれば、視聴者が背景輝度の変化前と同様にきれいな画面と感じることができるようにするために）、このテレビジョン本体周辺の背景輝度の検知結果のみに基づいてテレビジョンの画面の輝度を調整していた。具体的には、検知したテレビジョン本体周辺の背景輝度が、予め設定されたある標準的な明るさを基準としてそれより高い（明るい）ときには、テレビジョンの画面の輝度を上げ、検知したテレビジョン本体周辺の背景輝度が当該基準より低い（暗い）ときには、テレビジョンの画面の輝度を下げるように補正していた。
【先行技術文献】
【特許文献】
【０００７】
【特許文献１】特開平６−３０３５５１号公報
【発明の概要】
【発明が解決しようとする課題】
【０００８】
近年、液晶やプラズマを利用した大画面テレビジョンが急速に普及しつつある。これら大画面テレビジョンでは、視聴者が画面を備えたテレビジョン本体からある程度離れた位置でテレビジョンを視聴する機会が多く、テレビジョン本体の周辺の背景輝度と視聴者の周辺の背景輝度が異なることがある。この場合、背景輝度を正確に知るためには、テレビジョン本体周辺の背景輝度だけでなく、視聴者の周辺の背景輝度も検知する必要がある。なぜなら、例えば、テレビジョン本体周辺が標準的な明るさであっても、視聴者周辺がそれより暗いときは、視聴者の目は相対的に暗い環境に順応しているため、その分テレビジョンの画面の輝度を下げないと、最小輝度対比を一定に保つことはできない（平たく言えば、視聴者にとって部屋全体が標準的な明るさのときと同じようにきれいな画面であると感じることはできない）からである。
【０００９】
しかしながら、背景輝度としてテレビジョン本体周辺の背景輝度だけを検知していた従来の方法では、視聴者の周辺の背景輝度を検知することが出来ないから、背景輝度を正確に知ることができず、この結果、テレビジョン本体周辺の背景輝度と視聴者周辺の背景輝度とが異なっている場合には、視聴者がきれいな画面と感じることができるような適切な輝度に画面の輝度を調整することができなかった。
【００１０】
このような問題は、テレビジョン装置に限らず、チューナを備えていないモニター装置など、本体周辺と視聴者周辺の背景輝度が異なることが想定されるものであれば、等しく生じ得る問題である。しかし、このようなものも含めた表示装置一般についても、表示装置本体の周辺と表示装置のユーザ（視聴者など）の周辺の両方の背景輝度を検知して、これを利用して画面の輝度を適切に調整することはこれまでなされていなかった。
【００１１】
また、以上のような背景輝度の場合と同様の問題として、視聴者の視聴環境は本体や視聴者の周辺の色温度（物体から発せられる光の色を定量的な数値で表現したもの）によっても影響を受けるという問題がある。即ち、色温度の低い部屋で画面を見ると、標準的な色温度の部屋で見る場合に比べて、高い色温度に感じられ（具体的には画面が実際よりも青白く感じられる）、画質が悪くなってしまう。また、逆に色温度の高い部屋で画面を見ると、標準的な色温度の部屋で見る場合に比べて、低い色温度に感じられ（具体的には画面が実際よりも黄味がかった色に感じられる）、やはり画質が悪くなってしまう。しかし、従来のテレビジョン装置には、様々なソースに応じてユーザの選択により色温度を切り換えることができるものは存在したが、テレビジョンの本体周辺や視聴者の周辺の色温度を検知して、これを利用して画面の色温度を適切に調整することができるものは存在していなかった。
【００１２】
そこで、本発明の解決すべき課題は、画面を備えた表示装置本体の画面周辺の背景輝度および表示装置のユーザ周辺の背景輝度、または画面周辺の色温度およびユーザ周辺の色温度を検知し、この検知結果を利用して、画面の明るさを適切に調整することができる表示装置を提供することにある。
【課題を解決するための手段】
【００１３】
以上の課題を解決するため、本発明では、表示装置のユーザの周辺の背景輝度・色温度として、リモコン周辺の背景輝度・色温度を利用することとしている。
即ち、第一の発明は、画面を備えた本体と、本体をコントロールするためのリモコンと、からなる表示装置であって、リモコンは、リモコン周辺の背景輝度であるリモコン背景輝度を取得するためのリモコン背景輝度取得部を有し、本体は、画面周辺の背景輝度である画面背景輝度を取得するための画面背景輝度取得部と、取得した画面背景輝度と、取得したリモコン背景輝度とを利用して画面の輝度を調整するための画面輝度調整部とを有する表示装置を提供する。
また、第二の発明は、第一の発明を基礎として、画面輝度調整部は、画面背景輝度と、リモコン背景輝度と、これらの組み合わせに応じて画面の輝度を調整するための調整値とを対応付けるルールを保持するルール保持手段を有し、このルールは、以下のように前記調整を行うように定められている表示装置を提供する。即ち、（１）画面背景輝度とリモコン背景輝度の組み合わせ傾向と、これに対応する（２）画面輝度の調整値の傾向と、が以下の（ア）から（エ）までの４通りに定められている表示装置を提供する。
（ア）（１）が「高高」、（２）が「平均より高レベル」。
（イ）（１）が「低低」、（２）が「平均より低レベル」。
（ウ）（１）が「高低」、（２）が「平均よりやや低レベル」。
（エ）（１）が「低高」、（２）が「平均よりやや高レベル」。
また、第三の発明は、第一または第二の発明に記載の表示装置であって、処理すべき値である輝度に代えて色温度とした表示装置を提供する。
【発明の効果】
【００１４】
本発明により、画面を備えた表示装置本体の画面周辺の背景輝度および表示装置のユーザ周辺の背景輝度、または画面周辺の色温度およびユーザ周辺の色温度を検知し、この検知結果を利用して、画面の明るさを適切に調整することができる表示装置を提供することが可能となる。
【図面の簡単な説明】
【００１５】
【図１】本発明の概要を説明するための概念図
【図２】実施例１の表示装置の機能ブロックの一例を示す図
【図３】実施例１の表示装置の機能ブロックの一例を示す図
【図４】ルール保持手段が保持するルールの一例を示す図
【図５】実施例１の表示装置のうち本体のハードウェア構成の一例を示す概略図
【図６】実施例１の表示装置のうち本体のハードウェア構成の一例を示す概略図
【図７】実施例１の表示装置のうちリモコンのハードウェア構成の一例を示す概略図
【図８】実施例２の表示装置の機能ブロックの一例を示す図
【図９】実施例２の表示装置の機能ブロックの一例を示す図
【図１０】ルール保持手段が保持するルールの一例を示す図
【図１１】実施例２の表示装置のうち本体のハードウェア構成の一例を示す概略図
【図１２】実施例２の表示装置のうち本体のハードウェア構成の一例を示す概略図
【図１３】実施例２の表示装置のうちリモコンのハードウェア構成の一例を示す概略図
【符号の説明】
【００１６】
０１００      表示装置（テレビジョン装置）
０１１０      本体
０１１１      画面
０１１２      画面周辺の背景輝度を検知するためのセンサ
０１２０      リモコン
０１２１      リモコン周辺の背景輝度を検知するためのセンサ
０１３０      ユーザ（視聴者）
０１４０      照明装置
０２１２      画面背景輝度取得部
０２１３      画面輝度調整部
０２２１      リモコン背景輝度取得部
０８１２      画面色温度取得部
０８１３      画面色温度調整部
０８２１      リモコン色温度取得部
【発明を実施するための形態】
【００１７】
以下に、本発明の実施例を説明する。実施例と請求項の相互の関係は以下のとおりである。実施例１は主に請求項１、請求項２などに関し、実施例２は主に請求項３などに関する。なお、本発明はこれら実施例に何ら限定されるものではなく、その要旨を逸脱しない範囲において、種々なる態様で実施しうる。
【実施例１】
【００１８】
<概要>
本実施例の表示装置は、本体とリモコンとからなり、リモコンは、リモコン周辺の背景輝度を取得するための手段を有し、本体は、画面周辺の背景輝度を取得するための手段と、取得した画面周辺の背景輝度とリモコン周辺の背景輝度を利用して画面の輝度を調整するための手段を有する表示装置である。
【００１９】
図１は、本発明の概要を説明するための概念図である。はじめに本図を用いて本発明の概要について説明する。
本図は、表示装置がテレビジョン装置の例である。本図に示す表示装置（テレビジョン装置）０１００は、画面を備えた本体０１１０とリモコン０１２０とからなる。本図には、ユーザ（視聴者）０１３０がリモコンを手元に保持しつつ、テレビジョンを視聴中の状態が示されている。本図のテレビジョンはいわゆる大画面テレビジョンであり、視聴者がある程度画面から離れた状態でこれを視聴している。このため、部屋の中の比較的テレビジョン装置本体に近い位置にある照明装置０１４０により、テレビジョンの画面周辺は比較的明るいのに対し、視聴者の周辺（同時にリモコンの周辺でもある）は比較的暗い状態になっている。
【００２０】
テレビジョン装置の本体には、画面周辺の背景輝度を検知するためのセンサ０１１２が備えられている。この点は、従来の装置と同様である。従来の装置であれば、このセンサによって検知した画面周辺の背景輝度に基づいて画面の輝度を調整していた。即ち、本図のような場合であれば、画面周辺は明るく、背景輝度が高いと判断されるため、前述の関係式に従い視対象であるテレビジョンの画面の輝度を平均よりも高いレベルにする調整がなされていた。つまり、従来の装置であれば、この本体に設けられたセンサで検知した背景輝度をいわば部屋全体の背景輝度とみなす形になっていた。このとき、視聴者周辺も同じように明るければ、このような調整でも何ら不都合はない。しかし、本図のように、視聴者周辺の背景輝度が低い場合には、視聴者の目はこの低い背景輝度にも順応しているため、上のように調整された高い輝度の画面では、明るすぎて視聴者にとって部屋全体が明るいときと同じようにきれいな画面と感じることはできない。
【００２１】
このため、本図に示すように、本発明の表示装置（本図の例ではテレビジョン装置）では、視聴者の手元にある蓋然性の高いリモコンにも背景輝度を検知するためのセンサ０１２１を設け、リモコン周辺の背景輝度を検知するようにしている。そして、リモコン周辺の背景輝度の検知結果は、本体に送信されて、本体側に取得される。これにより、本体は自身のセンサで検知した画面周辺の背景輝度と、リモコンが検知して送信されたリモコン周辺の背景輝度の両方に基づいて画面の輝度を調整することが可能となる。図示は省略したが、このため、本体には、画面輝度を調整するための手段が備えられている。本図の場合であれば、本体によって取得された画面周辺の背景輝度は相対的に高いのに対し、リモコンによって取得されて本体側に送信されるリモコン周辺の背景輝度はこれよりも相対的に低い。そこで、本体の画面輝度調整部は、これら両方の背景輝度に基づいて、平均よりもやや低いレベルに画面輝度を調整する。つまり、従来の装置であれば画面周辺の高い輝度だけに基づいて画面輝度を平均より高いレベルに調整していたのに対し、本発明の装置によれば、画面周辺の高い輝度と視聴者周辺の低い輝度に基づいて、画面輝度をこれよりは低いレベル（平均よりやや低いレベル）に調整する。この結果、自身周辺の低い背景輝度にも目が順応している視聴者にとって画面輝度は適切なものとなり、視聴者はきれいな画面と感じることができる。
【００２２】
<構成>
（表示装置全般）
次に、表示装置の構成について説明する。図２は、本実施例の表示装置の機能ブロックの一例を示す図である。本図に示すように、本実施例の「表示装置」０２００は、「画面」０２１１を備えた「本体」０２１０と、本体をコントロールするための「リモコン」０２２０とからなる。
「表示装置」は、画像（動画像であるか静止画像であるかを問わない）を表示するための表示画面（ディスプレイ）を有する装置を広く含み、その種類は問わない。典型的には、大画面テレビジョンをはじめとするテレビジョン装置がこれに該当するが、チューナを備えていないモニター装置であってもよい。その他、コンピュータ端末装置やデジタルフォトフレーム装置、カーナビゲーション装置などであっても、本体周辺と視聴者周辺の明るさが異なることが想定されるものであれば、これらも本発明にいう「表示装置」に含まれる。以下では、主にテレビジョン装置の例で説明するが、他の表示装置においても、これと同様の構成によることで、本発明の目的を達成できる装置を実現可能である。なお、本発明の特許請求の範囲には含まれないが、これらの装置には必ずしもリモコンを用いないものもあり得るが、この場合には、リモコン以外のもの（例えば視聴者の身体）に視聴者周辺の背景輝度を取得する手段を設ければよい。
【００２３】
（リモコン）
リモコンは、リモコン背景輝度を取得するための「リモコン背景輝度取得部」０２２１を有する。
【００２４】
本実施例において「背景輝度」とは、テレビジョン装置などの表示装置の画面の輝度に影響を与える周辺の輝度をいう。この背景輝度は、視聴者などのユーザの目が順応していると考えられる輝度であり、ユーザの視聴環境などによって影響を受けるものである。ここでいう「周辺」は、単にテレビジョン装置などの本体の周辺に限らず、視聴者などの周辺も含むものである。なぜなら、テレビジョンを視聴中の視聴者などの目は、単にテレビジョン装置などの本体の周辺の背景輝度だけではなく、自身の周辺の背景輝度にも目が順応しており、これら両者の背景輝度を取得・利用して初めてテレビジョン装置などの画面の明るさの適切な調整が可能になるものだからである。
また、「リモコン背景輝度」とは、リモコン周辺の背景輝度をいう。ユーザ自身の周辺の背景輝度として、リモコン周辺の背景輝度を取得する理由は、テレビジョンなどの視聴中においては、ユーザの手元にリモコンが存在する蓋然性が極めて高いためである。
【００２５】
リモコンが、リモコン背景輝度を取得するための構成としては、例えば、リモコンに背景輝度を検知するためのセンサとして照度センサを搭載し、当該センサでリモコン周辺の照度を測定するとともに、当該測定の結果得られた照度を輝度に換算することにより背景輝度を検知する方法が用いられる。この方法において輝度センサを用いずに照度センサを用いて測定した照度を輝度に換算するようにしているのは、以下の理由による。即ち、一般に「輝度」（単位：ｃｄ／ｍ２）は、発光体の明るさを示す指標であり、これに対して「照度」（単位：Ｌｕｘ）は、発光体によって照らされた明るさを示す指標である。ここで、画面周辺の明るさやユーザ周辺の明るさは、発光体である照明装置や表示装置の画面によって照らされた室内の明るさであるので、照度を測定することが適切である。ただし、この室内の明るさを用いて画面の輝度を調整するためには、測定した照度を輝度に換算する必要があり、これが背景輝度である。このため、リモコンには照度を輝度に換算するためのルールが保持されていることが望ましい。あるいは、リモコン側ではこの換算を行わずに、得られた照度の検知結果をそのまま本体側に送信し、送信側で輝度に換算するようにしてもよい。照度から輝度への換算は、公知の換算式を用いることで可能である。例えば、非特許文献１（産業開発機構株式会社「光と光の記録」ｈｔｔｐ：／／ｗｗｗ．ｈｄｃｓｊ．ｃｏｍ／ｈｄｃ／ｉｎｄｅｘ／ｌｅｄ／Ｌｉｇｈｔｓ．ｈｔｍ）によれば、照度から輝度への換算式は（数２）に示す式で表わされる（同文献７ページ）。
【００２６】
（数２）
Ｂ＝Ｋ×Ｅ／π（Ｂ：輝度、Ｋ：物体の反射係数、Ｅ：照度）
【００２７】
従って、物体の反射係数がわかれば、測定した照度から輝度への換算が可能となる。例えば物体が１８％反射材質の物体である場合、照度１Ｌｕｘは、輝度０．１８／πｃｄ／ｍ２に等しくなるので、仮に測定した照度が５００Ｌｕｘであれば、これを背景輝度に換算した値は２８．６ｃｄ／ｍ２となる。このようにして得られた照度の検知結果ないしこれを輝度に換算した結果は、短距離無線通信手段などによりリモコンから表示装置本体に対して送信される。
【００２８】
このようにリモコンに搭載されるセンサはリモコン周辺における室内の明るさを測定するものであるから、この測定に適した位置に備えられていることが望ましい。かかる観点からは、一つの構成として、センサがリモコンの操作面に備えられている構成が考えられる。なぜなら、リモコンの操作面は通例上を向けた状態で卓上などに置かれ、あるいはユーザによって保持されており、下に向けて伏せられた状態になっていることはないため、適切に室内の明るさを測定することができるためである。また、他の構成として、センサがリモコンの四つの側面（操作面とその裏側の面を除くすべての面）のいずれかに備えられている構成が考えられる。これも、操作面に備えられる場合と同様の理由によるものである。なお、リモコン周辺の背景輝度を検知する目的は、視聴者の目に順応している明るさをより正確に検知することにあるから、この点に照らせば、四つの側面のうちユーザに向いている面にセンサが備えられていることが最も好適であると言える。なお、この場合に、リモコンが縦にした状態で置かれてしまうと、四つの側面のうち通例ユーザに向いている面が下に伏せられた状態になってしまうことから、このように置かれることを防止するため、リモコンの当該側面を曲面にしてもよい。このようにリモコンのセンサを搭載した面を曲面にすることで、これをレンズとして利用してセンサの感度を上げることも可能となる。
【００２９】
センサを用いての背景輝度の検知のタイミングには特に限定はない。従って、表示装置の本体の電源がＯＮになってからＯＦＦになるまでの間、常に継続的に背景輝度を検知し続けるようにしてもよい。このようにすれば、画面周辺あるいはリモコン周辺の背景輝度が変化するたびに、これを漏らさず検知することができるので、常に背景輝度に対応した適切な画面輝度となるように調整することが可能となる。ただし、リモコンのバッテリー容量は一般に小さいので、電力使用量を節約するため、必要最小限のタイミングで検知するようにしてもよい。かかる場合の検知のタイミングとしては、例えば、表示装置の本体の電源がＯＮになった瞬間だけ検知するとか、所定の間隔で（例えば１０分ごとに）検知するとかいったものが考えられる。あるいは、照明装置の点消灯スイッチのＯＮ／ＯＦＦにセンサを連動させて、ＯＮ／ＯＦＦの都度検知するようにしてもよいし、センサにモーションセンサ機能も付加しておき、モーションセンサが人の動きを検知したときに、センサが背景輝度を検知するようにしてもよい。最後の例は、リモコンがユーザの手元にある蓋然性が高いことに加え、ユーザが移動したときにはユーザ周辺の背景輝度が変化する蓋然性が高いことに鑑みた構成である。
【００３０】
なお、リモコンは、カメラ付き携帯電話であって、当該携帯電話に搭載されたカメラを用いて背景輝度を検知するように構成されたものであってもよい。また、リモコンが太陽電池型携帯電話であってもよい。この場合には、太陽電池によって発電される電流の量を測定することで周囲の明るさを推定することが可能となるので、やはり調整値の傾向を定めるに足りる程度には背景輝度を検知することが可能となる。
【００３１】
（本体）
本体は、「画面背景輝度取得部」０２１２と、「画面輝度調整部」０２１３とを有する。
（画面背景輝度取得部）
画面背景輝度取得部は、画面背景輝度を取得するためのものである。「画面背景輝度」とは、画面周辺の背景輝度をいう。本体が画面背景輝度を取得するための具体的な構成としては、リモコン背景輝度について述べたのと同様に、例えば、本体に背景輝度を検知するためのセンサとして照度センサを搭載し、当該センサで画面周辺の照度を測定するとともに、当該測定の結果得られた照度を輝度に換算することにより背景輝度を検知するようにすればよい。
【００３２】
本体に搭載されるセンサは画面周辺における室内の明るさを測定するものであるから、この測定に適した位置に備えられていることが望ましい。かかる観点からは、一つの構成として、センサが本体の前面、両側面もしくは上面に備えられている構成が考えられる。この理由は、リモコンに搭載されるセンサの搭載位置について述べたところと基本的に同様であり、これらが基本的に室内に向いている面であるからである。なお、センサが画面のごく近傍で画面に向いた方向に備えられていると、画面の明るさも拾ってしまい、画面周辺の正確な背景輝度の検知が困難となることから、センサはこのような位置は避けて搭載されることが望ましい。
センサを用いての背景輝度の検知のタイミングには特に限定はない点も、リモコンの場合と同様である。
【００３３】
（画面輝度調整部）
「画面輝度調整部」は、取得した画面背景輝度と、取得したリモコン背景輝度とを利用して画面の輝度を調整するためのものである。
画面輝度調整部は、かかる調整を行うためのルールを保持していることが望ましい。
図３は、本実施例の表示装置の機能ブロックの一例を示す図であって、画面輝度調整部が、かかる調整を行うためのルールを保持する手段を有している例を示す。即ち、本図に示すように、「画面輝度調整部」０３１３は、「ルール保持手段」０３１４を有する。ルール保持手段は、画面背景輝度と、リモコン背景輝度と、これらの組み合わせに応じて画面の輝度を調整するための調整値とを対応付けるルールを保持するように構成されている。
【００３４】
（ルールの具体例）
ここで、ルール保持手段が保持するルールの具体例について説明する。
図４は、ルール保持手段が保持するルールの一例を示す図であって、ルールがテーブルによって定められている場合の一例を示す。なお、なお、ルールは必ずしもこのようにテーブルによって定められている必要はなく、例えば画面背景輝度・リモコン背景輝度と調整値の関係を示す関数などによって定められていてもよい。
【００３５】
図４の例では、（Ａ１）に示す画面背景輝度が「高」、「低」の二つの場合に区分されるとともに、（Ａ２）に示すリモコン背景輝度が「高」、「低」の二つの場合に区分されている。この結果、画面背景輝度とリモコン背景輝度の組み合わせ傾向としてとして、「高高」、「低低」、「高低」、「低高」の４通りがあることになる。ここで「組み合わせ傾向」としているのは、当該ルールにおいては、必ずしも画面背景輝度およびリモコン背景輝度の厳密な値を定めておく必要はないためである。即ち、画面背景輝度、リモコン背景輝度として、部屋の標準的な明るさに基づく背景輝度（便宜上「標準背景輝度」という）の値を予め適宜の一定値に定めておき、検知した画面背景輝度、リモコン背景輝度がこの標準背景輝度よりも高い場合と低い場合の二つの場合に分けたルールを定めておけば、本発明の目的を達成するためには十分である。
【００３６】
また、図４の例では、上述の４通りの画面背景輝度とリモコン背景輝度の組み合わせ傾向に対応して、それぞれの場合の画面輝度の調整値の傾向が定められている。前述のように、視聴者が識別できる最小輝度対比（Ｃ）を一定に保つためには、背景輝度（Ｌｂ）が高い方向に変化したときは視対象の輝度（Ｌｏ）を上げ、背景輝度（Ｌｂ）が低い方向に変化したときは視対象の輝度（Ｌｏ）を下げればよい。そこで、最小輝度対比（Ｃ）が高いと判定されれば、テレビジョン装置などの表示装置の画面を暗くしてもわずかな輝度の違いまで識別できると判断されることから、表示装置の画面の輝度を下げるように調整を行い、最小輝度対比（Ｃ）が低いと判定されれば、表示装置の画面の輝度を上げるように調整を行うことになる。具体的には、本図に示す４通りの画面背景輝度とリモコン背景輝度の組み合わせ傾向に対応した画面輝度の調整値の傾向は以下のとおりとなる。即ち、画面背景輝度とリモコン背景輝度の組み合わせ傾向が「高高」の場合には、（Ｂ１）欄に示すように画面輝度の調整値の傾向は「平均より高レベル」と定められ、「低高」の場合には、（Ｂ２）欄に示すように「平均よりやや高レベル」と定められ、「高低」の場合には、（Ｂ３）欄に示すように「平均よりやや低レベル」と定められ、「低低」の場合には、（Ｂ４）欄に示すように「平均より低レベル」と定められる。ここで、「調整値の傾向」としているのも、当該ルールにおいては、必ずしも画面輝度の調整値の厳密な値を定めておく必要はないためである。なお、ここでは画面輝度の調整にあたり「平均」を基準としている。このような平均を基準とした画面輝度調整を可能にするためには、画面背景輝度とリモコン背景輝度のいずれもが前述の標準的背景輝度であるという組み合わせの場合に対応する画面輝度を平均値として定めておくようにすればよい。このようにすれば、例えば実際に検知した画面背景輝度とリモコン背景輝度がどちらも標準的な部屋の明るさに対応する輝度よりも高いものであれば、画面輝度を平均より高いレベルに調整するというように、背景輝度に応じた適切な画面輝度レベルの調整が可能となる。
【００３７】
なお、以上では、画面背景輝度とリモコン背景輝度が標準背景輝度よりも高い場合と低い場合の二つの場合に分けられている例で説明したが、分け方はこのような各二区分に限られず、画面背景輝度とリモコン背景輝度のうち一方または双方が三区分以上であってもよい。例えば、画面背景輝度とリモコン背景輝度のいずれもが高・中間・低の三区分であってもよく、この場合、これらの組み合わせに対応する画面輝度の調整値の傾向には９通りのものがあることになる。この場合には、上例の画面輝度の調整値の傾向が４通りの場合に比べ、より精緻な形で画面輝度の調整を行うことができるが、必ずしも画面輝度の調整値の厳密な値を定めておく必要はない点には変わりはない。
【００３８】
（ハードウェア構成）
（本体のハードウェア構成）
次に、本実施例の表示装置のハードウェア構成について説明する。まず、本体のハードウェア構成について説明する。
図５は本実施例の表示装置のうち本体のハードウェア構成の一例を示す概略図である。本例の表示装置のうち本体の画面背景輝度取得部は、「記憶装置（記録媒体）」０５０１と、「メインメモリ」０５０２と、「ＣＰＵ」０５０３と、「Ｉ／Ｏ」０５０４と、「センサ」０５０６とから構成される。画面輝度調整部は、「記憶装置（記録媒体）」と、「メインメモリ」と、「ＣＰＵ」と、「Ｉ／Ｏ」とから構成される。また、本体は、Ｉ／Ｏを介して接続された「画面」０５０５を備えている。
【００３９】
これらは「システムバス」０５０７などのデータ通信経路によって相互に接続され、情報の送受信や処理を行う。記憶装置はＣＰＵによって実行される各種プログラムなどを記憶している。またメインメモリは、プログラムがＣＰＵによって実行される際の作業領域であるワーク領域を提供する。また、このメインメモリや記憶装置にはそれぞれ複数のメモリアドレスが割り当てられており、ＣＰＵで実行されるプログラムは、そのメモリアドレスを特定しアクセスすることで相互にデータのやりとりを行い、処理を行うことが可能になっている。本例では、画面背景輝度取得プログラムと画面輝度調整プログラムが記憶装置に記憶されており、これらのプログラムは例えば電源投入とともに自動的に記憶装置から読み出されてメインメモリに常駐する。
【００４０】
次に、各部に係るハードウェア構成について具体的に説明する。まず、画面背景輝度取得に係るハードウェア構成について説明する。画面背景輝度取得プログラムは、画面背景輝度を取得する処理を実行する。具体的には、例えば、本体に背景輝度を検知するためのセンサを搭載し、当該センサで本体に備えられた画面周辺の背景輝度を検知する。この検知は公知技術を用いて行うことが可能である。従って、ここでは詳細な説明は省略するが、簡単に述べれば、例えば、フォトトランジスタやフォトダイオードを用いた照度センサ（以下「センサ」という）をＩ／Ｏを介して本体に接続して、画面背景輝度取得プログラムの検知命令に基づいてセンサが画面周辺の照度を検知する。照度の検知結果は、背景輝度に換算され、換算の結果得られた背景輝度はいったんメインメモリに格納される。このため、記憶装置には照度から輝度への換算ルールが保持されていてもよく、この場合、当該ルールは、メインメモリに読み出され、画面背景輝度取得プログラムは、このルールを参照することにより、照度の検知結果から背景輝度を得ることができる。このルールの具体例は、リモコン背景輝度取得部の構成中で述べたとおりである。
【００４１】
次に、画面輝度調整部に係るハードウェア構成について説明する。画面輝度調整プログラムは、上述の処理によって得られた画面背景輝度と、リモコンから受信したリモコン背景輝度とに基づいて、画面輝度の調整を行う処理を実行する。このための前提として、リモコンによって取得されたリモコン背景輝度は、リモコンから短距離通信手段などによって送信され、本体はこれをＩ／Ｏを介して受信してこれをメインメモリに格納しておく。その上で、画面輝度調整プログラムは、まず、メインメモリに格納されている画面背景輝度とリモコン背景輝度を読み出す。次に、画面輝度調整プログラムは、画面背景輝度とリモコン背景輝度とを利用して、画面の輝度を調整する。このため本体は、画面背景輝度とリモコン背景輝度から調整値を得るためのルールを保持していることが望ましい。
【００４２】
図６は、本実施例の表示装置のうち本体のハードウェア構成の一例を示す概略図であって、表示装置の本体がかかるルールを保持している場合の一例を示す図である。本例の本体のハードウェア構成は基本的に図５に示したものと同様であるが、本例では、「記憶装置」０６０１に、画面背景輝度とリモコン背景輝度とこれらの組み合わせに応じて画面の輝度を調整するための調整値とを対応付けるルール（図中「背景輝度・調整値対応付けルール」と略す）が保持されている。当該ルールは、メインメモリに読み出され、画面輝度調整プログラムは、画面背景輝度とリモコン背景輝とを利用し、当該ルールを参照して、調整値を取得するとともに、当該調整値に基づいて画面の輝度を調整する。調整値に基づく画面の調整も公知技術を用いて行えばよい。
【００４３】
（リモコンのハードウェア構成）
次に、リモコンのハードウェア構成について説明する。
図７は本実施例の表示装置のうちリモコンのハードウェア構成の一例を示す概略図である。本例のリモコンのリモコン背景輝度取得部は、「記憶装置（記録媒体）」０７０１と、「メインメモリ」０７０２と、「ＣＰＵ」０７０３と、「Ｉ／Ｏ」０７０４と、「センサ」０７０５とから構成される。
【００４４】
次に、リモコン背景輝度取得に係るハードウェア構成について説明する。リモコン背景輝度取得プログラムは、リモコン背景輝度を取得する処理を実行する。具体的には、例えば、リモコンに照度センサを搭載し、当該センサでリモコン周辺の照度を検知し、これを輝度に換算して背景輝度を取得する。このための具体的構成は、画面背景輝度の取得に関して説明した構成と同様である。
【００４５】
<効果>
本実施例の発明により、画面を備えた表示装置本体の周辺の背景輝度だけではなく、表示装置のユーザの周辺の背景輝度も加えたより正確な背景輝度を利用して、画面の明るさ（輝度）を適切に調整することができる表示装置を提供することが可能となる。
【実施例２】
【００４６】
<概要>
本実施例の表示装置は、実施例１の装置と基本的に共通するが、処理すべき値として、実施例１の輝度に代えて色温度を用いることで、実施例１と同様に画面の明るさ（色温度）を適切に調整することができる表示装置を提供することを目的とする。即ち、本実施例の表示装置は、本体とリモコンとからなり、リモコンは、リモコン周辺の色温度を取得するための手段を有し、本体は、画面周辺の色温度を取得するための手段と、取得した画面周辺の色温度とリモコン周辺の色温度を利用して画面の色温度を調整するための手段を有する表示装置である。
【００４７】
<構成>
（表示装置全般）
図８は、本実施例の表示装置の機能ブロックの一例を示す図である。本図に示すように、本実施例の「表示装置」０８００は、「画面」０８１１を備えた「本体」０８１０と、本体をコントロールするための「リモコン」０８２０とからなる。
「表示装置」の種類に限定はなく、画像を表示するための表示画面（ディスプレイ）を有する装置を広く含む点は、実施例１の表示装置と同様である。
【００４８】
（リモコン）
リモコンは、リモコン色温度を取得するための「リモコン色温度取得部」０８２１を有する。
【００４９】
本実施例において「色温度」とは、物体から発せられる光の色を定量的な数値で表現したものをいう。より詳細には、表現しようとする光の色をある温度の黒体から放射される光の色と対応させ、その時の黒体の温度をもって色温度とするものである。この色温度にも視聴者などのユーザの目が順応しており、色温度はユーザの視聴環境などによって影響を受けるものである。色温度は物体から発せられる光の種類によって異なり、例えば、電球色蛍光灯は３０００Ｋ（ケルビン）、昼白色蛍光灯は５０００Ｋ、昼光色蛍光灯は６５００Ｋ、太陽光は５５００Ｋ、スタジオライトは３２００Ｋであることなどが知られている。また、日本のテレビジョン（ＮＴＳＣ‐Ｊ）の色温度基準は９３００Ｋである。この色温度は、色の正確な再現のために重要なものであり、色温度が基準よりも高いと、実際よりも青白く感じられ、逆に色温度が基準よりも低いと、実際よりも黄味がかった色に感じられる。
【００５０】
「リモコン色温度」とは、リモコン周辺の色温度をいう。ユーザ自身の周辺の色温度
として、リモコン周辺の色温度を取得する理由は、リモコン周辺輝度について述べたところと同様である。
【００５１】
リモコンが、リモコン色温度を取得するための構成としては、例えば、リモコンに色温度センサを搭載し、当該センサでリモコン周辺の色温度を測定するようにすればよい。この色温度センサは背景輝度を検知するための照度センサと兼ねていてもよい。
【００５２】
（本体）
本体は、「画面色温度取得部」０８１２と、「画面色温度調整部」０８１３とを有する。
【００５３】
（画面色温度取得部）
画面色温度取得部は、画面色温度を取得するためのものである。「画面色温度」とは、画面周辺の色温度をいう。本体が画面色温度を取得するための構成としては、例えば、本体に色温度センサを搭載し、当該センサで備えられた画面周辺の色温度を検知するようにすればよい。そのための具体的構成は、リモコン色温度について上述したところと同様の構成によればよい。
【００５４】
（画面色温度調整部）
「画面色温度調整部」は、取得した画面色温度と、取得したリモコン色温度とを利用して画面の色温度を調整するためのものである。
画面色温度調整部は、かかる調整を行うためのルールを保持していることが望ましい。
図９は、本実施例の表示装置の機能ブロックの一例を示す図であって、画面色温度調整部が、かかる調整を行うためのルールを保持する手段を有している例を示す。即ち、本図に示すように、「画面色温度調整部」０９１３は、「第二ルール保持手段」０９１４を有する。第二ルール保持手段は、画面色温度と、リモコン色温度と、これらの組み合わせに応じて画面の色温度を調整するための調整値とを対応付けるルールを保持するように構成されている。
【００５５】
（ルールの具体例）
ここで、第二ルール保持手段が保持するルールの具体例について説明する。
図１０は、第二ルール保持手段が保持するルールの一例であって、ルールがテーブルによって定められている場合の一例を示す。なお、当該ルールも必ずしもこのようにテーブルによって定められている必要はなく、例えば画面色温度・リモコン色温度と調整値の関係を示す関数などによって定められていてもよい。
【００５６】
図１０の例では、（Ａ１）に示す画面色温度が「高」、「低」の二つの場合に区分されるとともに、（Ａ２）に示すリモコン色温度が「高」、「低」の二つの場合に区分されている。この結果、画面色温度とリモコン色温度の組み合わせ傾向としてとして、「高高」、「低低」、「高低」、「低高」の４通りがあることになる。ここで「組み合わせ傾向」としている理由は、背景輝度の場合と同様である。即ち、画面色温度、リモコン色温度として、部屋の標準的な明るさに基づく色温度（便宜上「標準色温度」という）の値を予め定めておき、検知した画面色温度、リモコン色温度がこの標準色温度よりも高い場合と低い場合の二つの場合に分けたルールを定めておけば、本発明の目的を達成するためには十分である。
【００５７】
また、図１０の例では、上述の４通りの画面色温度とリモコン色温度の組み合わせ傾向に対応して、それぞれの場合の画面色温度の調整値の傾向が定められている。具体的には、画面色温度とリモコン色温度の組み合わせ傾向が「高高」の場合には、（Ｂ１）欄に示すように画面色温度の調整値の傾向は「平均より低レベル」と定められ、「低高」の場合には、（Ｂ２）欄に示すように「平均よりやや低レベル」と定められ、「高低」の場合には、（Ｂ３）欄に示すように「平均よりやや高レベル」と定められ、「低低」の場合には、（Ｂ４）欄に示すように「平均より高レベル」と定められる。ここで、「調整値の傾向」としている理由も画面輝度の調整値の場合と同様である。なお、ここでは画面色温度の調整にあたり「平均」を基準としている。このような平均を基準とした画面色温度調整を可能にするためには、画面色温度とリモコン色温度のいずれもが前述の標準的色温度であるという組み合わせの場合に対応する画面色温度を平均値として定めておくようにすればよい。このようにすれば、例えば実際に検知した画面色温度とリモコン色温度がどちらも標準的な部屋の明るさに対応する色温度よりも高いものであれば画面色温度を平均より低いレベルに調整するというように、色温度に応じた適切な画面色温度レベルの調整が可能となる。
【００５８】
なお、画面色温度とリモコン色温度の分け方は、上述のような標準色温度よりも高い場合と低い場合の二つの場合に分けられている例に限られず、画面色温度とリモコン色温度のうち一方または双方が三区分以上であってもよい点は、背景輝度について述べたところと同様である。
【００５９】
（ハードウェア構成）
（本体のハードウェア構成）
次に、本実施例の表示装置のハードウェア構成について説明する。まず、本体のハードウェア構成について説明する。
図１１は本実施例の表示装置のうち本体のハードウェア構成の一例を示す概略図である。本例の表示装置のうち本体の画面色温度取得部は、「記憶装置（記録媒体）」１１０１と、「メインメモリ」１１０２と、「ＣＰＵ」１１０３と、「Ｉ／Ｏ」１１０４と、「センサ」１１０６とから構成される。画面色温度調整部は、「記憶装置（記録媒体）」と、「メインメモリ」と、「ＣＰＵ」と、「Ｉ／Ｏ」とから構成される。また、本体は、Ｉ／Ｏを介して接続された「画面」１１０５を備えている。
【００６０】
これらは「システムバス」１１０７などのデータ通信経路によって相互に接続され、情報の送受信や処理を行う。記憶装置はＣＰＵによって実行される各種プログラムなどを記憶している。またメインメモリは、プログラムがＣＰＵによって実行される際の作業領域であるワーク領域を提供する。また、このメインメモリや記憶装置にはそれぞれ複数のメモリアドレスが割り当てられており、ＣＰＵで実行されるプログラムは、そのメモリアドレスを特定しアクセスすることで相互にデータのやりとりを行い、処理を行うことが可能になっている。本例では、画面色温度取得プログラムと画面色温度調整プログラムが記憶装置に記憶されており、これらのプログラムは例えば電源投入とともに自動的に記憶装置から読み出されてメインメモリに常駐する。
【００６１】
次に、各部に係るハードウェア構成について具体的に説明する。まず、画面色温度取得に係るハードウェア構成について説明する。画面色温度取得プログラムは、画面色温度を取得する処理を実行する。具体的には、例えば、本体に色温度センサを搭載し、当該センサで本体に備えられた画面周辺の色温度を測定する。この測定は公知技術を用いて行えばよい。検知された色温度はいったんメインメモリに格納される。
【００６２】
次に、画面色温度調整部に係るハードウェア構成について説明する。画面色温度調整プログラムは、上述の処理によって得られた画面色温度と、リモコンから受信したリモコン色温度とに基づいて、画面色温度の調整を行う処理を実行する。このための前提として、リモコンによって取得されたリモコン色温度は、リモコンから短距離通信手段などによって送信され、本体はこれをＩ／Ｏを介して受信してこれをメインメモリに格納しておく。その上で、画面色温度調整プログラムは、まず、メインメモリに格納されている画面色温度とリモコン色温度を読み出す。次に、画面色温度調整プログラムは、画面色温度とリモコン色温度とを利用して、画面の輝度を調整する。このため本体は、画面色温度とリモコン色温度から調整値を得るためのルールを保持していることが望ましい。
【００６３】
図１２は、本実施例の表示装置のうち本体のハードウェア構成の一例を示す概略図であって、表示装置の本体がかかるルールを保持している場合の一例を示す図である。本例の本体のハードウェア構成は基本的に図１１に示したものと同様であるが、本例では、「記憶装置」１２０１に、画面色温度とリモコン色温度とこれらの組み合わせに応じて画面の輝度を調整するための調整値とを対応付けるルール（図中「色温度・調整値対応付けルール」と略す）が保持されている。当該ルールは、メインメモリに読み出され、画面色温度調整プログラムは、画面色温度とリモコン色温度とを利用し、当該ルールを参照して、調整値を取得するとともに、当該調整値に基づいて画面の色温度を調整する。調整値に基づく画面の調整も公知技術を用いて行えばよい。
【００６４】
次に、リモコンのハードウェア構成について説明する。
図１３は本実施例の表示装置のうちリモコンのハードウェア構成の一例を示す概略図である。本例のリモコンのリモコン色温度取得部は、「記憶装置（記録媒体）」１３０１と、「メインメモリ」１３０２と、「ＣＰＵ」１３０３と、「Ｉ／Ｏ」１３０４と、「センサ」１３０５とから構成される。
【００６５】
（リモコンのハードウェア構成）
次に、リモコン色温度取得に係るハードウェア構成について説明する。リモコン色温度取得プログラムは、リモコン色温度を取得する処理を実行する。具体的には、例えば、リモコンに色温度センサを搭載し、当該センサでリモコン周辺の色温度を検知して取得する。このための具体的構成は、画面色温度の取得に関して説明した構成と同様である。
【００６６】
<効果>
本実施例の発明により、画面を備えた表示装置本体の周辺の色温度と表示装置のユーザの周辺の色温度とを利用して、画面の明るさ（色温度）を適切に調整することができる表示装置を提供することが可能となる。
【図１】
2011109188.tif 000003
【図２】
2011109188.tif 000004
【図３】
2011109188.tif 000005
【図４】
2011109188.tif 000006
【図５】
2011109188.tif 000007
【図６】
2011109188.tif 000008
【図７】
2011109188.tif 000009
【図８】
2011109188.tif 000010
【図９】
2011109188.tif 000011
【図１０】
2011109188.tif 000012
【図１１】
2011109188.tif 000013
【図１２】
2011109188.tif 000014
【図１３】
2011109188.tif 000015